(57)【要約】
【課題】    金属疲労を防ぎ、弾力ボタンの寿命を延長し、吸い付き現象の発生を回避でき、より精確に動作させることのできる金属弾力ボタンの提供。
【解決手段】    外側周囲輪郭の径方向の両側の周縁上に直線のカット面を形成し、該金属弾力ボタンの周囲輪郭を円滑にし、従来品の周縁の一部が突出した構造上の欠陥を排除し、且つ、該カット面により、金属弾力ボタンの周囲輪郭に空気を取り入れるための間隙を形成し、該金属弾力ボタンの寿命を延長し、吸い付き現象の発生を回避し、さらに、該金属弾力ボタンの上面中央部に上方向に突起させた突起部、または下方向に陥没させた凹み部を形成し、携帯電話の使用者がボタンを押す際の触感を向上し、且つ、使用者の加圧力を金属弾力ボタン中央部に集中させ、より迅速、正確に信号の入力を行なうことを可能にする。
【選択図】    図８
0003100789.tif 000002
【実用新案登録請求の範囲】
【請求項１】
断面が弓形を呈する金属の弾力性を備えたボタンであって、外側周囲輪郭の径方向の両側端部上に直線のカット面を形成し、該カット面底部が空気の進出が可能な間隙を形成する金属弾力ボタン。
【請求項２】
前記金属弾力ボタン上面中央部に上方向に突起した突起部を形成した請求項１に記載の金属弾力ボタン。
【請求項３】
前記金属弾力ボタン上面中央部に下方向に陥没した凹み部を形成した請求項１に記載の金属弾力ボタン。
【考案の詳細な説明】
【技術分野】
【０００１】
本考案は、金属弾力ボタンに関し、特に、ボタンスイッチを押圧すると、回路板上の電気接点を導通させ、使用寿命が長く、排気効果を備えた金属弾力ボタンに関する。
【背景技術】
【０００２】
図１に示すように、携帯電話等の電子装置の信号入力のためのボタン４０は、一組のボタンスイッチであり、その鍵となる技術は、ボタン４０の内部に設置された断面が弓形の金属弾力ボタン２０にあり、該金属弾力ボタン２０の外側の輪郭と携帯電話に使用する回路板３０上の負極性接点３２を固定して相通を維持し、一方で、前記金属弾力ボタン２０の上面と、その相対する正極性接点３１間は一定の間隙を保持し、ボタン４０が下方向へ押圧されると、該金属弾力ボタン２０の上面が下方向へ変形され、前記回路板３０上に設けられた正極性接点３１に接触し、回路板３０上の負極性接点３２と、その相対する正極性接点３１が電気的に導通され、一定の入力信号を発する。ボタン４０が下方向へ押圧されなくなると、前記金属弾力ボタン２０の上面が、金属そのものの回復弾力性により原状の常態位置を回復し、該回路板３０の正極性接点３１と一定の間隙を保持した状態となる。
【０００３】
前述から分かるように、金属弾力ボタン２０は、経常的な圧縮変形を受け、また、変形により発生する内応力が交互に歪みを生じる。金属弾力ボタン２０に構造上の欠陥があると、残留応力（Residual Stress）と、残留歪み（Residual Strain）現象が生じ、疲労破損（Fatique Fracture）を起こし、残留応力が集中する箇所からひび割れや断裂が起こってくる。
【０００４】
このため、金属弾力ボタン２０の使用寿命を延長するためには、該金属弾力ボタン２０の構造上の欠陥を排除しなければならない。
【０００５】
しかしながら、現在一般的な金属弾力ボタン２０は、図２に示すように、細長い金属テープ１０上に、予め成型槽１５と輸送孔１８をプレス形成し、連続して排列され、且つ一部が該金属テープ１０にまだ接続している断面が弓形の金属弾力ボタン２０が成型される。次に、該金属テープ１０の輸送孔１８を利用し、該金属テープ１０を裁断機へ送り、裁断後、金属弾力ボタン２０の完成品となる。裁断を行なう関係で、一般的な金属弾力ボタン２０の構造は、図３に示すように、金属テープ１０に接続されていた部分の裁断部２１が、該金属弾力ボタン２０の周辺端縁上に突出して残るが、この裁断部２１の残留が従来品の構造上の欠陥となっており、長時間の使用後、該金属弾力ボタン２０の裁断部２１箇所に残留応力の集中と疲労破損が発生しやすく、従来の金属弾力ボタン２０はひび割れや断裂が起こりやすく、寿命が短いという欠点の原因となっている。
【０００６】
このほか、一般的な金属弾力ボタン２０の外側輪郭は、空気を取り入れる設計が成されておらず、押圧後、空気が迅速に該金属弾力ボタン２０内部の空間に流入せず、真空状態となり、該金属弾力ボタン２０が吸い付いてしまう現象が起こりやすく、不適切に導通状態が形成され、誤った信号入力が行なわれてしまう。
【考案の開示】
【考案が解決しようとする課題】
【０００７】
前述の問題に鑑みて、本考案は、金属弾力ボタンの寿命を延長し、吸い付き現象の発生を防ぎ、正確に動作させることのできる、金属弾力ボタンの提供を目的とするものである。
【課題を解決するための手段】
【０００８】
本考案の金属弾力ボタンは、径方向の両側の周縁上に、直線のカット面を形成し、該金属弾力ボタンの周囲輪郭を円滑にし、前記裁断部が突出した構造上の欠陥を排除し、且つ、該金属弾力ボタンの周囲輪郭に空気を取り入れるための間隙を形成し、該金属弾力ボタンの寿命を延長し、吸い付き現象の発生を回避する。
【０００９】
さらに、該金属弾力ボタンの上面中央部に上方向に突起させた突起部、または下方向に陥没させた凹み部を形成し、携帯電話の使用者がボタンを押す際に、該金属弾力ボタンを指で感じることができ、より精確に信号の入力を行なうことを可能にする。
【考案の効果】
【００１０】
本考案の金属弾力ボタンによれば、外側輪郭周縁上に形成したカット面により、従来品の構造上の欠陥を排除し、残留応力の集中と金属疲労の問題を解決し、金属弾力ボタンの寿命を延長し、且つ、ボタンが押圧される際の吸い付き現象の発生を防ぎ、信号の入力をより精確に行なうことができる。さらに、該金属弾力ボタンの上面中央部に形成した突起部または凹み部により、携帯電話の使用者がボタンを押す際に、該金属弾力ボタンを指で感じることができ、また、使用者によるか圧力を該金属弾力ボタン中央部に集中させ、より迅速且つ精確に信号の入力を行なうことを可能にする。        
【実施例１】
【００１１】
図４及び図５に示すように、本考案の金属弾力ボタン２０は、断面が弓形を呈し、該金属弾力ボタン２０外側周囲輪郭の径方向の両側端部に、それぞれ直線のカット面２２を形成し、これにより、該金属弾力ボタン２０の周囲輪郭をより円滑にし、裁断部が突出した構造上の欠陥を排除し、且つ、該カット面２２底部に、空気の進出を可能にする間隙を形成する。
【００１２】
図１に示すように、本考案の金属弾力ボタン２０は、欠陥構造を排除してあるため、長時間経常的な伸張・圧縮変形を受けても、残留応力の集中を回避することができ、金属疲労による破損を発生させないため、本考案の金属弾力ボタン２０は、ひび割れや断裂が起こりにくく、使用寿命を延長することができる。
【００１３】
また、本考案の金属弾力ボタン２０は、押圧後、前記カット面２２底部の隙間から迅速に空気を入出させることができ、内部空間が真空になる現象を回避することができ、使用時の吸い付きを完全に防止し、異常な電気導通による信号入力のエラーを防ぐことができる。
【実施例２】
【００１４】
このほか、図６及び図９に示すように、本考案の実施例二と実施例三は、携帯電話使用者のボタン４０を押す際の触感と、回路板３０上の負極性接点３２と相対する正極性接点３１の電気導通効果を向上することができ、携帯電話の信号入力をより精確に行なうことを可能にする。
【００１５】
本考案の実施例二による金属弾力ボタン２０は、図６及び図７に示すように、金属弾力ボタン２０の外側周囲輪郭上に直線のカット面２２を形成するだけでなく、さらに、該金属弾力ボタン２０の上面中央部に上方向に突起した突起部２３を設ける。
【００１６】
図８に示すように、本考案の実施例二の金属弾力ボタン２０は、ボタン４０内部に設置する際、その外側輪郭を携帯電話に使用する回路板３０上の負極性接点３２に固定して相通を維持し、該金属弾力ボタン２０の上面と相対する正極性接点３１との間は一定の間隙を保持し、且つ、該金属弾力ボタン２０上面に形成された突起部２３は、ボタン４０の底面に接触し、使用者が該ボタン４０を下方向へ押圧すると、使用者の加圧力が該金属弾力ボタン２０上の突起部２３に集中し、該金属弾力ボタン２０の上面が迅速に押圧に反応し、下方向へ変形して回路板３０上の正極性接点３１に接触する。これにより、使用者がボタン４０を押す際の触感が向上され、ボタン４０を押圧する動作を確実に完了することができる。
【実施例３】
【００１７】
本考案の実施例三による金属弾力ボタン２０は、図９及び図１０に示すように、金属弾力ボタン２０の外側周囲輪郭上に直線のカット面２２を形成するだけでなく、さらに、該金属弾力ボタン２０の上面中央部に下方向に陥没した凹み部２４を設ける。
【００１８】
図１１に示すように、本考案の実施例三の金属弾力ボタン２０は、ボタン４０内部に設置する際、該金属弾力ボタン２０上面に下方向に陥没して形成された凹み部２４と、回路板３０上の正極性接点３１との間に一定の間隙を保持し、使用者が該ボタン４０を下方向へ押圧すると、該金属弾力ボタン２０が下方向へ変形し、使用者の加圧力が該金属弾力ボタン２０上の凹み部２４に集中し、前記回路板３０上の正極性接点３１に確実に接触する。これにより、回路板３０上の負極性接点３２と正極性接点３１が良好な電気的接続を形成し、携帯電話の信号入力をより精確に行なうことを可能にする。
【図面の簡単な説明】
【００１９】
【図１】従来の金属弾力ボタンを携帯電話のボタンに実施した状態を示す側面断面図である。
【図２】従来の金属弾力ボタンを金属テープ上にプレス成型した状態を示す立体外観斜視図である。
【図３】従来の金属弾力ボタンの外側輪郭周縁部に裁断部が形成された状態を示す立体外観斜視図である。
【図４】本考案の実施例一の金属弾力ボタンの立体外観斜視図である。
【図５】本考案の実施例一の金属弾力ボタンの上面平面図である。
【図６】本考案の実施例二の金属弾力ボタンの立体外観斜視図である。
【図７】本考案の実施例二の金属弾力ボタンの側面断面図である。
【図８】本考案の実施例二の金属弾力ボタンを携帯電話のボタンに実施した状態を示す側面断面図である。
【図９】本考案の実施例三の金属弾力ボタンの立体外観斜視図である。
【図１０】本考案の実施例三の金属弾力ボタンの側面断面図である。
【図１１】本考案の実施例三の金属弾力ボタンを携帯電話のボタンに実施した状態を示す側面断面図である。
【符号の説明】
【００２０】
１０        金属テープ
１５        成型槽
１８        輸送孔
２０        金属弾力ボタン
２１        裁断部
２２        カット面
２３        突起部
２４        凹み部
３０        回路板
３１        正極性接点
３２        負極性接点
４０        ボタン
【図１】
0003100789.tif 000003
【図２】
0003100789.tif 000004
【図３】
0003100789.tif 000005
【図４】
0003100789.tif 000006
【図５】
0003100789.tif 000007
【図６】
0003100789.tif 000008
【図７】
0003100789.tif 000009
【図８】
0003100789.tif 000010
【図９】
0003100789.tif 000011
【図１０】
0003100789.tif 000012
【図１１】
0003100789.tif 000013